Podtech/llm-jp-corpus-v4-ja_patent huggingface dataset:
(57)【要約】      （修正有）【課題】建設事務所をプレハブ建てから経費の面、敷地が狭いために、賃貸マンション、アパートを利用するケースが多くなってきた。コンクリート製のマンションでは壁面を利用した保護帽収納具が取り付け出来ず困っていた。一人用保護帽安全帯収納具を提供する。【解決手段】椅子の脚４数ヶ所で当該収納具１を固定し、外側端部には少し高めな縁６を設け、左側には深皿状窪み７を設け、高所転落防止安全帯８を丸めて収納し右側は保護帽９を収納する、一人用保護帽安全帯収納具。【選択図】図２
2011098172.tif 000002
【特許請求の範囲】
【請求項１】
椅子の脚、数ヶ所で当該収納具を固定し、外側端部には少し高めな縁を設け、一方には深皿状窪みを設けた、一人用保護帽安全帯収納具。
【発明の詳細な説明】
【技術分野】
【０００１】  本発明は保護帽及び高所転落防止安全帯の収納具に関するものである。
【背景技術】
【０００２】  従来建設現場等で使用する保護帽や高所転落防止安全帯の保管方法は壁面を利用した収納具が主流である。
【先行技術文献】
【０００３】
【特許文献１】実用新案公開平７−２５８８４
【発明の概要】
【発明が解決しようとする課題】
【０００４】  以前は建設事務所をプレハブ建てが多かったが敷地が狭かったり、コスト削減のため賃貸マンションやアパートを利用するケースが多く成ってきた、しかし壁がコンクリート製のため壁面利用の保護帽保管具が使用できなくなっている。
本発明は、以上の問題を解決するためになされたものである。
【課題を解決するための手段】
【０００５】  収納具と椅子の脚アーム部を接着材で取り付けられるように設けられ、当該収納具に固定された結束材が上下２ヶ所設けられている。
扇形外側端部に少し高くなった縁を設け、左側には深皿状窪みが設けられ、高所転落防止安全帯を収納し、右側は保護帽を収納する構成よりなる、一人用保護帽安全帯収納具。
【発明の効果】
【０００６】  従来は多人数一ヶ所管理の収納具が一般的だが、椅子の脚元の空間を有効利用することで狭い事務所や壁面コンクリートの場合でも整然と管理が可能となった。
【図面の簡単な説明】
【０００７】
【図１】本発明の平面図
【図２】本発明の使用状態を示す斜視図
【発明を実施するための形態】
【０００８】  以上本発明の実施形態を説明する。
（イ）当該収納具（１）固定のため両端部と中央部に接着材（２）を取り付けられるように設けられ、椅子（３）の各脚アーム部（４）に結束材（５）が上下に２ヶ所取り付けられている。
（ロ）扇形外側端部には少し高くなった縁が設けられ、左側には深皿状窪み（７）が設けられている。
本発明を使用するときは、接着材を椅子の脚アーム（４）の長さ、又脚間隔に合わせて取り付け、さらに当該収納具（１）に取り付けられている結束材（５）で各脚アーム部（４）の上下を締めて強く固定する。
高所転落防止安全帯（８）は深皿状窪み（７）に軽く丸めて収納し、右側には保護帽（９）を少し高くなった縁（６）の上に保護帽（９）ひさしが乗る程度に収納する。縁（６）は保護帽（９）に付いた雨水を床に落さない目的もあります。
【符号の記号】
【０００９】  （１）当該収納具  （２）接着材  （３）椅子  （４）椅子アーム部  （５）結束材    （６）縁  （７）深皿状窪み  （８）高所転落防止安全帯  （９）保護帽
【図１】
2011098172.tif 000003
【図２】
2011098172.tif 000004
(57)【要約】【課題】シャワーヘッドからシャワー水とアロマオイルとアロマの香りを同時に放出する課題を解決することとした。【解決手段】流体の流れによる圧力差によって、気体及び液体を装置本体の自吸口から自吸する機能をもった装置をシャワーヘッドとシャワーホースの間に設け、装置自吸口にカートリッジ接続部を設ける。接続部にカートリッジを接続し、カートリッジ内部のフィルターに染み込ませたアロマオイル及びアロマの香りを装置の自吸力によってシャワーヘッド内に自吸させシャワー水とアロマの香りを同時に放出させることとした。【選択図】図１
2011098171.tif 000002
【特許請求の範囲】
【請求項１】
シャワーヘッド（１）とシャワーホース（２）を接続する間に、流体の流れによる圧力差によって気体及び液体を装置本体の自吸口から自吸する機能を持った装置（３）を設け、装置自吸口（４）にはカートリッジ（５）を接続する接続部（４ａ）を設ける。カートリッジ（５）内部に差し込んだフィルター（７）にアロマオイル数滴を染み込ませカートリッジ（５）を接続部（４ａ）に接続し、装置（３）の自吸力によってアロマオイル及びアロマの香りがシャワー水と同時に放出させることを特徴としたアロマシャワー。
【請求項２】
カートリッジ（５）はワンタッチで接続と取り外しができる形状とし、カートリッジ内部には貫通穴（６）を設けることによって、アロマオイル及びアロマの香りを効率よく自吸させることができることを特徴とするカートリッジ。
【請求項３】
フィルター（７）はカートリッジ（５）の貫通穴（６）に差込み押し出す安易な方法とし、フィルターの形状はカートリッジ内部形状に沿ったもので交換が安易にできる形状であれば使用できることを特徴とするフィルター。
【請求項４】
フィルター（７）は通気性と浸透性のある、セルロースアセテート繊維などの天然素材を用い環境にやさしい素材を基本とするが、他の通気性及び浸透性のある素材でも使用できることを特徴とするフィルター。
【発明の詳細な説明】
【技術分野】
【０００１】本発明はシャワーヘッドとシャワーホースの間に、流体の流れによる圧力差によって気体及び液体を装置本体の自吸口から自吸する機能を持った装置を設け、その自吸口に設けたカートリッジ接続部にカートリッジを接続することによってカートリッジ内のフィルターに染み込ませたアロマオイル及びアロマの香りを装置の自吸力によって自吸させシャワー水と同時に放出させるものである。【０００２】自吸口に接続するカートリッジはワンタッチで接続と取り外しができる簡便な形状とし、カートリッジ内部は貫通穴の構造とすることによって、アロマオイル及びアロマの香りが効率よく自吸させることができ、しかもフィルター交換を安易に行うことができる。【０００３】アロマオイルを染み込ませるフィルターは通気性と浸透性のあるパルプ繊維など天然原料を用い環境にやさしい素材が好ましいが通気性と浸透性がある素材なら可能である。
【発明の開示】
【背景の技術】
【０００４】流体の流れによる圧力差によって気体及び液体を自吸させる装置に関する文献は「ベルヌーイの定理・微細気泡及びマイクロバブル発生装置・アスピレーター・エジェクター・旋回流」など、圧力差による自吸機能を持った装置の自吸力によってアロマオイル及びアロマの香りを自吸する。
【考案が解決しようとする課題】
【０００５】従来、シャワー水とアロマオイルの香りを同時に放出させることはできなかった。
その理由は、シャワーヘッド及びシャワーホースなどから直接アロマオイルを注入するには流体の圧力によって逆流するため注入は不可能であり、注入できる方法とした場合、本目的に対しコストの問題からしても現実的ではない。
【課題を解決するための手段】
【０００６】本発明は、流体の流れによる圧力差によって、気体及び液体を装置本体の自吸口から自吸する機能を持った装置をシャワーヘッドと水道ホースとの間に設け、装置自吸口に設けたカートリッジ接続部にカートリッジを接続することによってカートリッジ内のフィルターに染み込ませたアロマオイル及びアロマの香りを装置の自吸力によってシャワー水と同時に放出することができる。
【発明の効果】
【０００７】自吸装置の自吸口カートリッジ接続部にワンタッチで取り外し可能なカートリッジを接続することで簡便にシャワーと同時にアロマの香りを実感することができる。
【発明を実施するための最良の形態】
【０００８】以下、本発明を実施するための最良の形態について説明する。
シャワーヘッド（１）とシャワーホース（２）の間に自吸装置（３）を設け、自吸装置（３）の気体及び液体自吸口（４）にカートリッジ接続部（４ａ）を設ける。カートリッジ（５）の内部空洞部（６）にフィルター（７）を差込、アロマオイル数滴をフィルター（７）に染み込ませカートリッジ（５）をカートリッジ接続部（４ａ）に接続し固定する。
本発明は、以上のような構造である。
【実施例】
【０００９】アロマオイル数滴をフィルターに染み込ませることで、一般的なシャワー使用時間内はアロマの香りを放出できるが、香りを強くする場合はアロマオイルを染み込ませたフィルターにシャワー水を極少量染み込ませることで強い香りを放出することができる。
【図面の簡単な説明】
【００１０】
【図１】アロマシャワーの全体構成図
【図２】接続部及びカートリッジ・フィルター部分図
【符号の説明】
【００１１】１シャワーヘッド
２シャワーホース
３気体及び液体自吸装置
４気体及び液体自吸口
４ａカートリッジ接続部
５カートリッジ
５ａカートリッジ貫通穴
７フィルター
【図１】
2011098171.tif 000003
【図２】
2011098171.tif 000004
(57)【要約】【課題】  足の機能の不足は、歩装具のさまざまなタイプによって今のところ納得すべきレベルにある。ただ、使用者本人の身体障害者という、一面目には見えない、誰も悪くない、しかしプレッシャーと成り得るもの、から幾分でも救おうとする、新しいタイプの歩装具の技術に関するものである。  病気や事故の後、長い治療を終えた後に遣って来るのが、身体障害者としての日常生活である。様々な不便に本人が襲われる中、その内の僅か、ほんの僅かでもと、本件を考案しました。  外出しようと思っても、不自由な体の上に舗装具、靴と２重の試練を課される現状を、何とかできればと思います。【解決手段】通常の形の歩装具と靴を合体する。【選択図】図１
2011098174.tif 000002
【特許請求の範囲】
【請求項１】
室内用、外出用共に、靴の内面に歩装具をつけ、該靴と該歩装具を接着する事を特徴とする歩装具機能内蔵型靴。
【請求項２】
請求項１に記載の、室内用、外出用共に、靴の内面に歩装具をつけ、該靴と該歩装具を着脱可能状態で接着する事を特徴とする歩装具機能内蔵型靴。
【請求項３】
請求項１に記載の、室内用、外出用共に、靴の内面に歩装具をつけ、該靴を履いた状態で該歩装具の締め付け用の紐を、該靴の外から操作出来る様に該靴に刻まれた切込み、スリットから外に出し、該歩装具の締め付け、緩め外しを可能とする事を特徴とする歩装具機能内蔵型靴。
【請求項４】
請求項１に記載の、室内用、外出用共に、靴の内面に歩装具をつけ、該靴を履いた状態で該歩装具の締め付け用の連続した紐を、該靴の外から操作出来る様に該靴に刻まれた切込み、スリットから外に出し、出した後で連続させた紐を操作することによって該歩装具の締め付け、緩め外しをより少ない動作で可能とする事を特徴とする歩装具機能内蔵型靴。
【発明の詳細な説明】
【技術分野】
【０００１】  この発明は、不幸にして病気怪我から足の一部が曲がらなく、あるいいは曲がりにくくなり、歩装具を着けざるを得なくなってしまった人を、身体障害者という、一面、目には見えない、誰も悪くない、しかしプレッシャーと成り得るもの、から幾分でも救おうとする、歩装具の技術に関するものである。
【背景技術】
【０００２】  従来、足の機能の不足は、歩装具のさまざまなタイプによって今のところ納得すべきレベルにある。
ただ、使用者本人の身体障害者という、一面目には見えない、誰も悪くない、しかしプレッシャーと成り得るもの、から救う、新しいタイプの歩装具である。
【先行技術文献】
【特許文献】
【０００３】  特許電子図書館で紹介しましたが、「歩装具」に関する技術は０件でした。
【特許文献１】
【特許文献２】
【非特許文献】
【０００４】
【非特許文献１】
【非特許文献２】
【発明の概要】
【発明が解決しようとする課題】
【０００５】  足の機能の不足は、歩装具のさまざまなタイプによって今のところ納得すべきレベルにある。
ただ、使用者本人の身体障害者という、一面、目には見えない、誰も悪くない、しかしプレッシャーと成り得るもの、から救う、新しいタイプの歩装具である。
【課題を解決するための手段】
【０００６】室内用、外出用共に、靴の内面に歩装具をつけ、該靴と該歩装具を接着する。【０００７】室内用、外出用共に、靴の内面に歩装具をつけ、該靴と該歩装具を着脱可能状態で接着する。【０００８】室内用、外出用共に、靴の内面に歩装具をつけ、該靴を履いた状態で該歩装具の締め付け用の紐を、該靴の外から操作出来る様に該靴に刻まれた切込み、スリットから外に出し、該歩装具の締め付け、緩め外しを可能とする。【０００９】室内用、外出用共に、靴の内面に歩装具をつけ、該靴を履いた状態で該歩装具の締め付け用の連続した紐を、該靴の外から操作出来る様に該靴に刻まれた切込み、スリットから外に出し、出した後で連続させた紐を操作することによって該歩装具の締め付け、緩め外しを各々より少ない動作で可能とする。
【発明の効果】
【００１０】  本発明品の使用者は、室内用、外出用共に、不自由な方の足に歩装具機能内蔵型靴を履くだけで普通の靴を履く以上に強固に足と内面に装着された歩装具も装備することとなり、快適に生活できる。
【図面の簡単な説明】
【００１１】
【図１】歩装具機能内蔵型靴の図
【発明を実施するための形態】
【００１２】  本発明品の使用者は、室内用、外出用共に、不自由な方の足に歩装具機能内蔵型靴を履くだけで普通の靴を履く以上に強固に足と内面に装着された歩装具も装備することとなり、快適に生活できる。
履こうとする歩装具機能内蔵型靴は、外観上、通常の靴と変わりないがその内面には歩装具が装備されており足と歩装具を密着させる、或いはつなぐ紐、或いはベルトは、靴の内部から靴に空けた切込み、スリットを通じて靴の外部、即ち靴の外側から操作できる。
その紐或いはベルトは多くの場合３、４本に分かれて足と歩装具を密着させるが、その内、２本以上を付けて、一度に操作する方法もある。
【実施例】
【・・・・】
【産業上の利用可能性】
【・・・・】
【符号の説明】
【００１３】１  歩装具機能内蔵型靴
２  靴の内部に組み込まれた、歩装具
３  紐、或いはベルト
４  紐、或いはベルトの接着、離脱部分
５  紐、或いはベルトの靴内の部分
６  切込み、或いはスリット
７  歩装具の基板、人足部分
【受託番号】
【・・・・】
【図１】
2011098174.tif 000003
(57)【要約】【課題】  従来、カメラでの撮影や双眼鏡、望遠鏡、拡大鏡、顕微鏡などを観察するに際しては、手元に鳥類、昆虫、樹木、動物、星座、細菌などの図鑑を用意する必要があり、図鑑を見る手間が掛かった。  また、対象物が動いている場合では目を離して図鑑を見、再び対象物を捉えるには手間と時間がかかってしまう欠点があった。  本発明は以上のような欠点をなくすためになされたものである。【解決手段】  本発明は、拡張現実感を導入したカメラや双眼鏡、望遠鏡、拡大鏡、顕微鏡などの視界の中に、別の電子情報による各種図鑑を合成することで、観察の都度紙製の図鑑を見ることを不要とした装置である。【選択図】図１
2011253512.tif 000002
【特許請求の範囲】
【請求項１】
本発明は、拡張現実感を導入したカメラや双眼鏡、望遠鏡、拡大鏡、顕微鏡などの視界の中に、別の電子情報による各種図鑑を合成することで、観察の都度紙製の図鑑を見ることを不要とした装置である。
【発明の詳細な説明】
【技術分野】
【０００１】  この発明は、拡張現実感［目で見える現実の光景（カメラ、双眼鏡、望遠鏡、拡大鏡、顕微鏡など）に別の電子情報による画像（鳥類、昆虫、樹木、動物、星座、細菌などの図鑑）を重ねる技術］に関する装置である。
【背景技術】
【０００２】  従来、カメラでの撮影や双眼鏡、望遠鏡、拡大鏡、顕微鏡などで対象物を観察するに際しては、手元に鳥類、昆虫、樹木、動物、星座、細菌などの図鑑を用意する必要があり、また図鑑を見る手間が掛かった。
【発明の概要】
【発明が解決しようとする課題】
【０００３】  従来、鳥類、昆虫、樹木、動物、星座、細菌などの対象物を観察するには次のような欠点があった。対象物を同定するために図鑑を用意する手間があること、また、対象物が動いている場合では目を離して図鑑を見、再び対象物を捉えるには手間と時間がかかってしまう欠点があった。本発明は以上のような欠点をなくすためになされたものである。
【課題を解決するための手段】
【０００４】  本発明は、拡張現実感を導入したカメラや双眼鏡、望遠鏡、拡大鏡、顕微鏡などの現実の視界の中に、別の電子情報による各種図鑑を合成することで、観察の都度紙製の図鑑を見ることを不要とした装置である。
【発明の効果】
【０００５】  対象物を観察するに際し、その都度図鑑を見る必要がない。特に対象物が動いているときなどでは、目を離すと再び対象物を捉えるには手間と時間がかかってしまうが、本発明では目を離すことなくその対象物の同定ができる。
【発明を実施するための形態】
【０００６】  本発明は、拡張現実感に別の電子情報による各種図鑑の画像を合成したことを最も主要な特徴とするもので、これを使用するときは、現実の光景を見ながら、合成された電子情報の各種図鑑を参照しながら目を離すことなく対象物を同定することができる。
【図面の簡単な説明】
【０００７】  図１は、カメラでの撮影や双眼鏡、望遠鏡、顕微鏡などの観察に拡張現実感を導入した説明図である。
【符号の説明】
【０００８】Ａ  拡張現実感を導入したカメラ
Ｂ  拡張現実感を導入した双眼鏡
Ｃ  拡張現実感を導入した望遠鏡
Ｄ  拡張現実感を導入した顕微鏡
１  電子情報による画像
２  現実の光景
【図１】
2011253512.tif 000003
(57)【要約】【課題】従来の自動販売機は、小銭や紙幣を使用しての商品買入であった。これは、忙しい社会人にとっては、財布から現金を取りだすという手間がかかる作業の一つでもあった。【解決手段】ドリンカ挿入口を自動販売機本体の前面に設けた自動販売機において、小銭、紙幣、ドリンカが使用できる様構成した。これにより商品をカード一枚で買入する事ができる。また、“自販機荒らし”の防止にもつながる。現金回収作業員の手間も省ける。【選択図】図１
2011253515.tif 000002
【特許請求の範囲】
【請求項１】
薄型カードによる商品の買入ができる自動販売機。
【請求項２】
及びカード。
【発明の詳細な説明】
【技術分野】
【０００１】本発明は、消費者用のカード化を図った自動販売機に関する
【背景技術】
【０００２】従来の自動販売機には、小銭，紙幣で商品買入するものがある。
【先行技術文献】
【特許文献】
【０００３】
【特許文献１】
【非特許文献】
【０００４】
【非特許文献１】
【発明の概要】
【発明が解決しようとする課題】
【０００５】忙しい人が買入する際、時間がかかった。【０００６】自動販売機の集金係が定期的に現金回収していた．
【課題を解決するための手段】
【０００７】自動販売機のドリンカ使用可能機の製造
【発明の効果】
【０００８】小銭，紙幣の不要。自販機荒らし防止。
【図面の簡単な説明】
【０００９】
【図１】本発明のドリンカの使用済表面図
【図２】ドリンカ自動販売機の前方から見た外観図
【発明を実施するための形態】
【００１０】本発明の実施の形態を図１に基づいて説明する。
【００１１】１は挿入方向、２は使用済跡であり残額の目安となる。
【産業上の利用可能性】
【００１２】世界中に普及する。
【符号の説明】
【００１３】１    カード挿入のための方向矢印
２    使用済跡
【図１】
2011253515.tif 000003
【図２】
2011253515.tif 000004
(57)【要約】【課題】  電源側端子部と負荷側端子部の接触不良を一つのセンサ回路で検出できる回路遮断器を提供する。【解決手段】  電源側端子部３と負荷側端子部４との間に、給電線７と検出線８を並列に配線する。給電線７上に主接点９を設け、検出線８上にセンサ回路１１とスイッチ１２を直列に設ける。センサ回路１１の出力に基づき、制御回路１４が端子部品５，６の接触不良を判定し、トリップコイル２０にトリップ指令を出力する。トリップコイル２０は、連係部材２２で手動ハンドル２３とスイッチ開閉機構２１に連結されている。トリップコイル２０が主接点９を引き外すときに、開閉機構２１がスイッチ１２を開き、検出線８に流れる電流を遮断する。【選択図】        図１
2011253744.tif 000002
【特許請求の範囲】
【請求項１】
端子部品の接触・非接触を検出するセンサ回路を備えた回路遮断器において、電源側端子部と負荷側端子部との間に検出線を配線し、検出線上に前記センサ回路とスイッチを直列に設け、スイッチを主接点より早いタイミングで開閉する開閉機構を備えたことを特徴とする回路遮断器。
【発明の詳細な説明】
【技術分野】
【０００１】
本発明は、端子部の接触不良を検出するセンサ回路を備えた回路遮断器に関する。
【背景技術】
【０００２】
回路遮断器の端子部は、ネジの緩みで端子部品同士の接触状態が不安定になると、アーク放電を伴って熱を発生する。端子部の発熱を予防するために、従来、端子部品の接触・非接触をセンサ回路で検出し、接触不良を判定したときに、主接点を引き外す回路遮断器が提案されている。例えば、特許文献１の回路遮断器は、図２に示すようなセンサ回路１１の両端を電源側端子部の端子ネジ５と端子座６に接続し、これらの端子部品の電位差に基づいて、電源側端子部の接触不良を判定している。
【先行技術文献】
【特許文献】
【０００３】
【特許文献１】特開２００９−２４５８３６号公報
【発明の概要】
【発明が解決しようとする課題】
【０００４】
ところで、端子部品の接触不良は、ネジ端子であれば、電源側端子部に限らず、負荷側端子部でも同様に発生する。しかし、従来の回路遮断器によると、センサ回路１１を電源側端子部の２つの端子部品５，６に接続しているので、負荷側端子部でも接触不良を検出しようとすると、両方の端子部にセンサ回路を設ける必要があり、遮断器の回路構成が複雑になるという問題点があった。
【０００５】
そこで、本発明の目的は、電源側端子部と負荷側端子部の接触不良を一つのセンサ回路で検出できる回路遮断器を提供することにある。
【課題を解決するための手段】
【０００６】
上記課題を解決するために、本発明は、端子部品の接触・非接触を検出するセンサ回路を備えた回路遮断器において、電源側端子部と負荷側端子部との間に検出線を配線し、検出線上にセンサ回路とスイッチを直列に設け、スイッチを主接点より早いタイミングで開閉する開閉機構を備えたことを特徴とする。
【発明の効果】
【０００７】
本発明の回路遮断器によれば、センサ回路を検出線で電源側端子部と負荷側端子部とに接続したので、一つのセンサ回路で両方の端子部品の接触不良のみならず、給電線上の主接点を含む電気接続部品の接触不良も検出できる。また、主接点が開くときには、スイッチが検出線に流れる電流を遮断するので、１次−２次間の絶縁に支障を来たすことなく、遮断器各部の接触不良を的確に検出できるという効果もある。
【図面の簡単な説明】
【０００８】
【図１】本発明の一実施形態を示す回路遮断器の配線図である。
【図２】従来の回路遮断器のセンサ回路を示す回路図である。
【発明を実施するための形態】
【０００９】
以下、本発明の一実施形態を図面に基づいて説明する。図１に例示する単相三線式電路用の回路遮断器１は、遮断器ケース２の一端に３つの電源側端子部３を備え、他端に同数の負荷側端子部４が設けられている。電源側端子部３は、端子部品である端子ネジ５と端子座６を備え、電源線（図示略）を端子ネジ５で端子座６に締め付けている。同様に、負荷側端子部４は、負荷配線（図示略）を端子ネジ５で端子座６に締め付けている。
【００１０】
電源側端子部３と負荷側端子部４との間には、３本の給電線（電圧線Ｌ１，Ｌ２、中性線Ｎ）７が配線されるとともに、各給電線７と並列に３本の検出線８が配線されている。給電線７上には、電路を開閉する主接点９と、過電流に感応するバイメタル１０（電圧線Ｌ１，Ｌ２のみ）とが設けられている。検出線８上には、端子部品５，６や主接点９等の接触・非接触を検出するセンサ回路１１と、検出線８に流れる電流を遮断するスイッチ１２とが直列に設けられている。
【００１１】
３つのセンサ回路１１は、統合入力回路１３を介して制御回路１４に接続されている。制御回路１４には、主接点９より２次側の電路から電源を取得する電源回路１５と、センサ回路１１の出力から平均値を求める平均値回路１６と、平均値を閾値と比較して接触不良を判定する判定回路１７と、判定結果を所定時間保持する自己保持回路１８と、その時間中にトリップ指令をトリップコイル２０に出力する出力回路１９とが設けられている。
【００１２】
スイッチ１２は、センサ回路１１と電源側端子部３との間に設けられ、開閉機構２１よって駆動される。スイッチ開閉機構２１は、連係部材２２で手動ハンドル２３とトリップコイル２０と引き外し関連部品とに連結されている。そして、トリップ指令に応答し、トリップコイル２０が主接点９を引き外し、開閉機構２１が主接点９より僅かに早いタイミングでスイッチ１２を開放するようになっている。なお、センサ回路１１は、特定の構成に限定されないが、例えば図２に示すように、フォトカプラ２３を用いた入出力絶縁型回路を使用できる。
【００１３】
上記構成の回路遮断器１によれば、センサ回路１１が検出線８によって電源側および負荷側の端子部３，４に接続されているので、一つのセンサ回路１１により両方の端子部３，４において端子部品５，６の接触不良を検出できるうえ、給電線７上の主接点９を含むその他の電気接続部の接触不良も広範囲に検出できる。また、主接点９とスイッチ１２を連係させているので、給電線７の遮断時に検出線８も遮断して、１次−２次間の絶縁を確保できる。従って、簡単な構成により、遮断器各部の接触不良を的確に検出することができる。
【００１４】
なお、本発明の回路遮断器は、単相三線式電路のみに適用されるものではなく、単相二線式電路、三相三線式電路などの各種電路に応用できる。また、電源側および負荷側の端子構造は、電線を端子ネジで端子座に締め付ける構造のほか、電線をワンタッチで着脱可能なプラグイン構造も採用できる。その他、本発明は、上記実施形態に限定されるものではなく、発明の趣旨を逸脱しない範囲で、各部の構成を適宜に変更して実施することも可能である。
【符号の説明】
【００１５】
１    回路遮断器
３    電源側端子部
４    負荷側端子部
５，６    端子部品
７    給電線
８    検出線
９    主接点
１１    センサ回路
１２    スイッチ
２０    トリップコイル
２１    スイッチ開閉機構
【図１】
2011253744.tif 000003
【図２】
2011253744.tif 000004
(57)【要約】【課題】老人性難聴に適応されている従来の補聴器は電気的に音を拡大するもので、音は大きくなるが、不要な高い音まで大きくなり、難聴の度合い、周囲の環境に合わせる調整が難しく、高価である。難聴の度合いにもよるが、聞こえるが良く聞き取れない程度の難聴に適応する簡便な補聴器を提供したい。【解決手段】耳を覆うカバー状を形成し、前方に音の入る開放部を設け、内側に耳介に掛けて保持する為のＣ字形状の係合部を設け、入った音が共振する共振室を構成した耳カバーとする。  このようにすると、細かい調整の必要もなく、耳に装着も簡便で、開放部から入った音はカバー内部で共振して大きな音となり、高い領域の音も聞くことが出来る。また、共振室を必要以上の高音は吸収する部材で構成することにより雑音を少なくすることが出来る。【選択図】図１
2011253170.tif 000002
【特許請求の範囲】
【請求項１】
耳を覆うカバー状を形成し、前方に音の入る開放部を設け、内側に耳介に掛けて保持する為のＣ字形状の係合部を設け、内部に音の共振する共振室を形成して構成された補聴耳カバー。
【請求項２】
前記共振室を、必要以上の高い周波数の音を吸収する部材で構成した請求項１の補聴耳カバー。
【請求項３】
左右一対の補聴耳カバーを柔軟な紐で繋いだ請求項１記載の補聴耳カバー。
【発明の詳細な説明】
【発明の詳細な説明】
【技術分野】
【０００１】  本発明は、老齢化に伴う耳の聴力が低下する老人性難聴に適応する補聴器に関する。
【背景技術】
【０００２】高齢になって聞こえ難くなる老人性難聴は、高齢化とともに神経が衰え、高い領域の音からだんだん聞こえ難くなるもので、補聴器で適応されているが、従来の補聴器は電気的に音を拡大しているので、音を拡大することは出来るが、周囲の音を同じ割合で拡大するため、必要外の雑音まで拡大して、やかましくて聞き辛い。
難聴の度合い、周囲の環境に応じて調整が必要であり、取り扱いが難しく、且つ高価である。
【発明の開示】
【発明が解決しようとする課題】
【０００３】以上のように従来の補聴器は電気的に音を拡大するもので、難聴の度合い、周囲の環境に合わせて微妙な調整が必要であり、且つ高価である。
重症の難聴は別として、日常会話において、聞こえるが聞き取れないのは、通常、高い領域の音が聞こえないためで、この領域の音が聞き取れる大きさまで拡大出来れば良いことである。
本発明は、聞こえるが聞き取れない程度の老人性難聴に適応するもので、カバー状のもので耳を覆って、内部で音を共振させて音量を増大させる補聴器を実現することを目的とするのである。
【発明を解決する為の手段】
【０００４】  この発明は上記の目的を達成するために、耳を覆った形のカバー状を形成し、耳介に掛けて保持する為のＣ字形状の係合部と、音の入ってくる開放部を設け、入った音の共振する共振室を形成して構成された耳カバーとする。  また、左右の補聴耳カバーがばらばらにならないように左右を柔軟性の紐で繋いだものとする。
【発明の効果】
【０００５】上述のように、本発明の補聴耳カバーを耳に装着すると、開放部から入った音はカバーの内部で共振して拡大され、聞き取れなかった高音も聞き取ることが出来る。
また、雑音となる聞きつらい必要以上の高い音は吸収する部材で当該共振室を構成すれば、聞き易い音で聴くことが出来る。
また、左右を繋ぐ紐は首に掛けると便利である。
【発明を実施するための最良の形態】
【０００６】以下本発明の実施の形態を図１〜図２に基づいて説明する。
図１はこの発明に係わる実施例の補聴耳カバーを内側から見た外観を示し、図２は斜め前方から外側を見た外観図であり、耳を覆うカバー本体１と、耳介にかけて保持するための、耳の後方から上部を囲むＣ字形状の係合部２と、前方に音を導入するための開放部３を設け、音を共振させる共振室４を形成して構成したものとし、軟質樹脂で一体成型されている。【０００７】  このように構成された補聴耳カバーは、開放部から入った音声は内部で共振して大きく拡大され、必要以上の高い音が吸収されれば、雑音の少ない音を聞くことが出来る。
【図面の簡単な説明】
【０００８】
【図１】本発明に係わる補聴耳カバーを内側の方向から見た外観図
【図２】斜め前方から見た外観図
【図３】内側側面図
【図４】前方より見た正面図
【図５】左右一対を紐で繋いだ補聴耳カバーの図
【符号の説明】１  −  カバー本体
２  −  耳に掛ける係合部
３  −  音の入る解放部
４  −  共振室
５  −  紐
【図１】
2011253170.tif 000003
【図２】
2011253170.tif 000004
【図３】
2011253170.tif 000005
【図４】
2011253170.tif 000006
【図５】
2011253170.tif 000007
(57)【要約】      （修正有）【課題】装甲車保護用、又は小火器の攻撃にさらされ得る固定された部署用に用いられるアクティブな防弾のシステムを提供する。本防弾システムは、ロケット発射装置や類似の小火器によって発射された発射物によって構成された、溶解又は半溶解の金属物質、又は、静止した位置の爆発噴出によって発生させられた有形の装填噴出物に対応している。【解決手段】少なくとも２つの外側の金属製の層２，３と、これらの間に挿入された活動的物質の層４とを具備する少なくとも１枚のパネル１によって形成されたアクティブな防弾のシステムである。前記活動的物質は弱められた爆発物質から得られる。【選択図】図１
2011252674.tif 000002
【特許請求の範囲】
【請求項１】
少なくとも２つの外側の金属製の層（２，３）と、これらの間に挿入された活動的物質の層（４）とを具備する少なくとも１枚のパネル（１）によって形成されたアクティブな防弾のシステムであって、前記活動的物質は弱められた爆発物質から得られることを特徴とする。
【請求項２】
適切な活動的物質は、そこから前記の弱めることが達成できる基本となる活動的物質として、爆発性のＰＢＸ  Ｎ１０９である請求項１記載のシステム。
【請求項３】
前記の弱めることは、アルミニウムの含有を除去することによって、そして、不活性の配位子に対してＲＤＸの割合を小さくすることによって達成できる請求項１記載のシステム。
【請求項４】
ＲＤＸの適切な割合が３０％と５０％との間にあり、好ましくは４０％である請求項３記載のシステム。
【請求項５】
スペーサ要素（６）の手段によって互いに離隔して互いに平行に配設された２つのパネル（１）を具備し、該パネルは危険物の方向に対して傾斜している請求項１記載のシステム。
【請求項６】
前記パネルの適切な傾斜角は２０度と４０度の間にあり、好ましくは３０度である請求項１記載のシステム。
【請求項７】
前記パネルは金属箱体（７）の中に配設されている請求項５記載のシステム。
【請求項８】
活動的でない要素が前記パネル間に更に存在する請求項５記載のシステム。
【発明の詳細な説明】
【技術分野】
【０００１】
本発明は、アクティブな防弾システムに関する。特に、装甲車保護用か、又は小火器の攻撃にさらされ得る固定された部署用に用いられ得るアクティブな装甲とも称されるアクティブな防弾のシステムに関する。
【背景技術】
【０００２】
反応する装甲の典型的な構造は、危険物に機械的に対向する目的を有する前後の層状体によって、そして、最も外側の遮蔽物の作用を促進する目的を持った中間の層状体によって構成されている。その中間の層状体のエネルギー特徴は３つの主なカテゴリに分けられる。
【０００３】
第１のカテゴリにおいては、活動的な層が爆発によって構成される。この構成が最も効果的な反応する装甲である。
第２のカテゴリにおいては、中間の活動的な層が爆発性能を有していない活動的物質によって構成され、このカテゴリは第１のものよりも低い効果を有している。
第３のカテゴリにおいては、中間の層は非活動的物質によって構成される。この物質は、その物理化学的特性に依存しているが、反応性サンドイッチ構造の最も外側の層の作用を促進することができるが、その他のものよりも効果が薄い。
【発明の概要】
【課題を解決するための手段】
【０００４】
本発明は、少なくとも２つの外側の金属層と、これらの間に挿入された少なくとも１つの反応する層とによって形成されたアクティブな防弾のシステムを実現することを提供する。その反応する層は、外側の層の一つに貫通する金属又は他の物質によって到達された時、貫通物質の進行方向のその厚さを増大させることによって反応し、こうして外側の金属層の防護性能を増大させる。
【０００５】
反応する層の振る舞いは弱められた爆発物質の使用を介して得られる。本発明の様相は請求項１の特徴部を有するアクティブな防弾のシステムに関する。このパネルの他の特徴はそれに続く従属請求項に含まれている。本発明の他の目的と利点とは、下記の説明は実施例であってそれらに限定しないことを条件として、下記の説明記載と添付図とから明確になるであろう。
【図面の簡単な説明】
【０００６】
【図１】本発明に係るアクティブな防弾のシステムのパネルの分解模式図である。
【図２】互いに平行で、危険物の方向に対して傾斜した２つのパネルを設けた本発明に係るシステムの一つの実施形態例を示す。
【発明を実施するための形態】
【０００７】
上述の図を参照すると、本発明に係るシステムは、乗物用又は固定された部署用の、補強と装甲板状パネルとして使用され得る。
本システムが危険物から保護するその危険物の種類は、保護されるべき部署の方向に高速で送られる物質によってもたらされる危険物である。即ち、これは、ロケット発射装置や類似の小火器によって発射された発射物によって構成された、溶解又は半溶解の金属物質、又は、静止した位置の爆発噴出によって発生させられた有形の装填噴出物である。
【０００８】
本発明に係るシステムは、少なくとも２つの外側の金属層２，３と、これらの間に挿入された、例えば弱められた爆発物質のような活動的物質の層４とによって形成されたパネル１を少なくとも具備している。いったん、例えば、発射物のような危険物が外側の層を貫通したら、この弱められた爆発物質は膨張によって「反応すること」の特徴を有する。このサンドイッチ構造２つの金属層は、横の寸法と厚さ２ｍｍを有する２枚の板によって構成されることが好ましい。
【０００９】
活動的物質のシートを含むことに対し、２枚の板は、例えばナイロンのようなフレーム５によって縁全体に沿って分離されることが好ましい。この組合体には、組み立てのために複数の貫通孔が設けてある。
本発明に係る活動的物質の好ましいのは、アルミニウム含有を除去することと、例えば、ポリウレタンの配位子のような不活性の配位子に対してＲＤＸの割合を少なくすることによって、そこから既述の弱めることを達成することが可能な基本となる活動的物質としては、爆発性のＰＢＸ  Ｎ１０９である。ＲＤＸの適切な割合は３０％と５０％との間にあり、好ましくは４０％である。
【００１０】
図２において、スペーサ要素６の手段によって互いに離隔されて互いに平行に配置された２つのパネルを具備するシステムが図示されている。これらのパネルは、金属箱体７の中に配設されて危険物の方向に対して傾斜している。これらのパネルの好ましい傾斜角は２０度と４０度の間にあり、好ましくは３０度である。同様に、異なる数のパネルが異なる配置形態で使用され得る。更には、他の活動的でない要素があり得る。
【図１】
2011252674.tif 000003
【図２】
2011252674.tif 000004
【外国語明細書】
2011252674.tif 000005
2011252674.tif 000006
2011252674.tif 000007
2011252674.tif 000008
2011252674.tif 000009
2011252674.tif 000010
2011252674.tif 000011
2011252674.tif 000012
2011252674.tif 000013
(57)【要約】【課題】  エアコンの室外機を網状のネットに水をしみらせその気化熱で室外機を冷やすことを特徴とする室外機の冷却装置を提供する。【解決手段】  室外機に水タンクと網状のネットを用い水を染み込ませその気化熱で室外機を冷やすことを特徴とする室外機の冷却装置。【選択図】図１
2011252693.tif 000002
【特許請求の範囲】
【請求項１】
エアコンの室外機の上部に水タンクを設けて室外機の吸気口にネット状の布をたらして水をたらして気化熱で室外機に冷風を送り室外機を冷やす室外機の冷却装置。
【発明の詳細な説明】
【技術分野】
【０００１】本発明は、エアコンの使用時に室外機の上部に設けた水タンクより水をたらして気化熱を利用して室外機を冷やす室外機の冷却装置に関するものである。
【背景技術】
【０００２】従来、エアコンの使用時に室外機が加熱してエアコンの効率が悪くなるため水を噴射利して室外機を冷やす装置などがあったが水を多く使い効率が悪かった
【発明の開示】
【発明が解決しようとする課題】
【０００３】そのために、次のような問題点があった。
（イ）水を大量に使うため無駄が多かった。
【課題を解決するための手段】
【０００４】エアコンの室外機の上部に設けた水タンクからネット状の布に水をたらして気化熱で室外機を冷やす室外機の冷却装置である。
【発明の効果】
【０００５】本発明は、水を効率よく使いエアコンの室外機を冷やす又装置も簡単で安く作ることが出来る室外機の冷却装置である。
【発明を実施するための最良の形態】
【０００６】以下、本発明の実施の形態を説明する。
（イ）水タンク（１）を設け調整バルブ（６）を経て網状のネット（５）に水を流しこみ気化熱で冷やした空気をエアコンの吸い込み口（４）から冷えた空気を流し込む。  本発明は、以上の構成よりなっている
【図面の簡単な説明】
【０００７】
【図１】  本発明の斜視図
【符号の説明】
【０００８】１  水槽
２  補給水口
３  室外機
４  吸い込み口
５  網状のネット
６  調整バルブ
【図１】
2011252693.tif 000003
(57)【要約】      （修正有）【課題】太陽光を効果的に利用して、冬でもお風呂や温湯が使用できるようにした太陽光集熱貯湯装置を提供する。【解決手段】太陽光集熱貯湯装置１で太陽光を利用して水が温められる。一方、フィルムカバ−２は太陽光集熱貯湯装置１を覆っている。なお、３はスペ−サ−であり太陽光集熱貯湯装置とフィルムカバ−の間に隙間を作るものである。４はフィルム固定具であり、フィルム押さえを５のビスで固定している。【選択図】図１
2011252694.tif 000002
【特許請求の範囲】
【請求項１】
太陽光集熱貯湯装置の全体を覆う透明なカバ−装置及び透明なカバ−を装備した太陽光集熱貯湯装置
【発明の詳細な説明】
【産業上の利用分野】
【０００１】  この発明は、太陽光を利用して家庭用の温湯を作り出す太陽光集熱貯湯装置を透明なカバーで覆って蓄熱効果を高めたものである。近年、化石燃料による地球温暖化の影響により気象災害の増加等が深刻な状況となってきており、その対策が全世界で求められている。このためには、化石燃料に頼らない生活を創造していく必要があり、本発明も太陽光を効果的に利用して、冬でもお風呂や温湯が使用できるようにしたものである。家庭におけるエネルギーの利用は産業用のエネルギーと比較してもかなり大きなウェイトを占めており、本発明は社会的な寄与度が高いものである。
【背景技術】
【０００２】  従来、太陽光を利用した家庭用の温湯器は屋根に取り付けられており、昼間太陽光で暖められた温湯は夜にお風呂等で利用されてきた。しかしながら、夏場の晴れた日は５０℃以上の温湯が得られるが、曇りや雨の日はかなり温度が下がり、冬場ではさらに利用率が低下し、その分ガス等で追い炊きをする必要があった。
【発明が解決しようとする課題】
【０００３】  このような状況であるため、夏も冬も、また曇りの日も雨の日もより効果的に太陽光を利用して温湯が得られる装置が強く望まれていた。
【課題を解決するための手段】
【０００４】  いま、その構成を図１により説明すると、
（イ）太陽光集熱貯湯装置１で太陽光を利用して水が温められる。一方、フィルムカバ−２は太陽光集熱貯湯装置１を覆っている。なお、３はスペ−サ−であり太陽光集熱貯湯装置とフィルムカバ−の間に隙間を作るためのものである。４はフィルム固定具であり、フィルム押さえを５のビスで固定している。
以上のように装置する。
【作用】
【０００５】  次に本発明の作用を述べる。
太陽光集熱貯湯装置１は一般に外気に晒されており、外気との熱の平衡状態で各部の温度が決まる。したがって、冬場では外気は１０℃以下の場合も多く太陽光集熱貯湯装置の表面は外気温度に近く、内部との温度勾配により中の温湯の温度上昇を妨げることになる。一方、フィルムカバ−２で覆われた太陽光集熱貯湯装置１は温室効果により太陽光集熱貯湯装置周囲が暖められ、冬場でも２０℃〜４０℃程度に上昇する。そのため、太陽光集熱貯湯装置表面は暖められ、内部との温度勾配が小さくなり、効果的に中の温湯を暖めることができる。
【実験例】
【０００６】  太陽光集熱貯湯装置１をフィルムカバ−２で覆って使用した場合、フィルムカバ−で覆わない場合と比較して温湯の温度が５℃〜１０℃程度上昇効果が認められた。近年はフィルムについても、２０年程度の長期の光透過性及び耐候性を有するフッ素コートフィルムもあり、太陽光集熱貯湯装置の耐久性に劣らない性能を有する。
【発明の効果】
【０００７】  化石燃料の使用を減らして地球温暖化を防止することは、世界の共通認識であり、太陽光は貴重な代替エネルギー資源である。近年の温暖化は大気中の二酸化炭素の濃度上昇による地球全体の温度上昇がであるが、本発明は太陽光集熱貯湯装置をフィルムで覆うという簡単な方法により、太陽光集熱貯湯装置近傍における温室効果による集熱効果の向上を図ったものである。太陽光集熱貯湯装置をフィルムで覆うことは低コストで容易なことであり、家計と地球に優しく豊かなエネルギーが得られる方法である。なお、フィルムカバ−２を光透過性が良く高強度のプラスチック等で製作すれば、風の抵抗を避けるスマ−トな形状が容易に得られる。
【図面の簡単な説明】
【図１】  本発明による透明なカバーを有する太陽光集熱貯湯装置
【符号の説明】１は太陽光集熱貯湯装置
２はフィルムカバ−
３はスペ−サ−
４はフィルム固定具
５は固定ビス
【図１】
2011252694.tif 000003
(57)【要約】【課題】  本発明は、寒いとき、着用しているモモヒキを脱いだり下げたりせずに排便の用がたせるように工夫した寒い期間用のモモヒキを提供する。【解決手段】  胴部分の最上部に調節具（１）を設け、股の真中より前後に大きく股開口部（２）を入れ、胴回り（３）の部分を長くしたことが特徴の寒い期間用のモモヒキ。【選択図】図１
2011252261.tif 000002
【特許請求の範囲】
【請求項１】
胴部分の最上部に調節具（１）を設け、股の真中より前後に大きく股開口部（２）を入れ、胴回り（３）の部分を長くしたことが特徴の寒い期間用のモモヒキ。
【発明の詳細な説明】
【技術分野】
【０００１】  本発明は、寒いとき、着用しているモモヒキを脱いだり下げたりせずに排便の用がたせるように工夫した寒い期間用のモモヒキに関するものである。
【背景技術】
【０００２】  従来のモモヒキは、開口部が前面のみで小さく重ね合わせになっているので、排便等、用をたすたびに脱いだり下げたりしなくてはならなかった。
【発明の概要】
【発明が解決しようとする課題】
【０００３】  そのために、次のような問題点がある。
寒い期間の排便時に、着用しているモモヒキを脱いだり下げたりすると、太ももやでん部を冷気にさらすことになり、とくに夜間の排便時は体温を下げ不快を感じていた。
本発明は以上の問題点を解決するものである。
【課題を解決するための手段】
【０００４】  胴部分の最上部に調節具（１）を設け、股の真中より前後に大きく股開口部（２）を入れ、胴回り（３）の部分を長くしたことが特徴の寒い期間用のモモヒキ。
【発明の効果】
【０００５】  股下の真中より前後に大きく切り開き重ね合わせをなくすることで便器にまたがったり、便座に掛けたときに股部が開き脱いだり下げたりすることなく排便ができるように胴部分を長くすることで、腹巻のように体の保温になる。
調節具を付けることでウエストの調節ができる。
従来のモモヒキは排便時の度に脱いだり下げたりしていたが、本発明により着たまま用便ができるので冷気に太ももやでん部をさらすことがないので体を冷やさず不快感を最小限にする。
モモヒキの上に着ているズボン等を下げるときにモモヒキのズリ下がりを防止できる。
【図面の簡単な説明】
【０００６】
【図１】  本発明の正面図である。
【図２】  本発明の背面図である。
【発明を実施するための形態】
【０００７】  以下、本発明の実施の形態について説明する。
（イ）胴部分の最上部に調節具（１）を設ける。
（ロ）股の真中より前後に大きく股開口部（２）を入れる。
（ハ）胴回り（３）の部分を従来の物より長くする。
本発明は以下のような特徴がある。
胴部分の最上部に調節具（１）を設け、太い人や細い人の調節を大きくでき、ズボン等モモヒキの上に着ているズボン等を脱ぐときのずり下がり防止になる。
股の真中より前後に大きく股開口部（２）を入れることで、便器をまたいだり、便座に掛けるだけでモモヒキを脱いだり、下げたりせずに股が開くのでそのまま排便ができる。
胴回り（３）を従来のモモヒキより長くすることにより腹部、でん部、太もも等、排便時に冷気にふれることを最小限に防ぐことができる。
【符号の説明】
【０００８】１    調節具
２    股開口部
３    胴回り
【図１】
2011252261.tif 000003
【図２】
2011252261.tif 000004
(57)【要約】      （修正有）【課題】家族や周囲に協力者が不在の場合、母親が１人で乳幼児の入浴から風呂上がりまでの世話をする際、乳幼児の安全確保と湯冷め防止のため、母親は乳幼児の着替えを最優先に考え、母親自身はバスタオルを巻くかもしくは全裸のまま風呂場と部屋を往来しなければならない不便があった。複数の乳幼児の着替えを同時におこなう場合は、さらにその不便性は増大する。なお、入浴直後でも乳幼児への授乳が必要となる場合も多い。そこで、本発明は入浴後の母親自身の着替えを容易かつ短縮にするほか、授乳機能も付いたゴムシャーリングワンピースを提供する。【解決手段】ワンピース１の上方はゴムシャーリングで縫製し、下方をスカート部２にし、ゴムシャーリングで開口部を設けたことを特徴とする授乳機能付きゴムシャーリングワンピース。【選択図】図１
2011252263.tif 000002
【特許請求の範囲】
【請求項１】
ワンピースの上方はゴムシャーリングで縫製し、下方をスカート部にし、ゴムシャーリングで開口部を設けたことを特徴とする授乳機能付きゴムシャーリングワンピース。
【発明の詳細な説明】
【技術分野】
【０００１】  家族や周囲に協力者が不在の場合、母親が１人で乳幼児の入浴から風呂上がりまでの世話をする際、乳幼児の安全確保と湯冷め防止のため、母親は乳幼児の着替えを最優先に考え、母親自身はバスタオルを巻くか、もしくは全裸のまま風呂場と部屋を往来しなければならない不便があった。
複数の乳幼児の着替えを同時におこなう場合は、さらにその不便性は増大する。
なお、入浴直後でも乳幼児への授乳が必要となる場合も多い。
そこで、本発明は入浴後の母親自身の着替えを容易かつ短縮にするほか、授乳機能も付いたゴムシャーリングワンピースに関するものである。
【背景技術】
【０００２】  従来、家族や周囲に協力者が不在の場合、母親が１人で乳幼児の入浴から風呂上がりまでの世話をする際、乳幼児の安全確保や湯冷め防止のため、母親自身の着替えを後回しに乳幼児の着替えを最優先におこなってきた。
【発明の概要】
【発明が解決しようとする課題】
【０００３】  家族や周囲に協力者が不在の場合、母親が１人で乳幼児の入浴から風呂上がりまでの世話をする際、乳幼児の安全確保と湯冷め防止のため、母親は乳幼児の着替えを最優先に考え、母親自身はバスタオルを巻くか、もしくは全裸のまま風呂場と部屋を往来しなければならない不便があった。
複数の乳幼児の着替えを同時におこなう場合は、さらにその不便性は増大する。
なお、入浴直後でも乳幼児への授乳が必要となる場合も多い。
本発明は、以上の問題点を解決するためになされたものである。
【課題を解決するための手段】
【０００４】  ワンピースの上方はゴムシャーリングで縫製し、下方をスカート部にし、ゴムシャーリングで開口部を設ける。
以上の構成よりなる授乳機能付きゴムシャーリングワンピース。
【発明の効果】
【０００５】  入浴後に母親自身の着替えが短時間で行われれば、滑りやすく危険が潜む風呂場での乳幼児の安全確保や湯冷め防止につながるほか、複数の乳幼児の着替えも容易に行える。
また、授乳機能がついていれば、入浴直後でも簡単に授乳が可能となる。
本発明はワンピースの上方をゴムシャーリングで縫製しているほか、さらに強度を増すためゴムシャーリングの上部に太いゴムを縫い付けるか、もしくは通してあるので、バスタオルのようにずれ落ちる心配もなく、乳幼児の世話に集中できる。
本発明は流行を取り入れたおしゃれ着としても活用できるので、入浴直後の突然の来客の対応も可能であるほか、本発明の下にスパッツやジーンズを着用すれば近隣への買い物にも対応できる。
【図面の簡単な説明】
【０００６】
【図１】  本発明の正面図である。
【図２】  本発明の使用状態を示した説明図である。
【図３】  本発明の使用状態を示した説明図である。
【図４】  本発明の使用状態を示した説明図である。
【発明を実施するための形態】
【０００７】  以下、本発明の実施の形態を説明する。
（イ）ワンピース（１）の上方は袖なし肩紐なしの筒状で、ワンピース（１）の下方をスカート部（２）にする。
（ロ）ワンピース（１）の上方は、前身ごろ、および後ろ身ごろともに、脇下（３）からウエスト（４）までをゴムカタン糸、もしくはゴムを使用し適度な間隔でゴムシャーリング（５）で縫製する。
（ハ）ワンピース（１）の上方は、ゴムシャーリング（５）で縫製した前身ごろの生地２枚の両脇を、同様にゴムシャーリング（５）で縫製した後ろ身ごろの生地の両脇と縫い合わせ、ゴムシャーリングの上部（６）には太いゴムを縫い付けるか、もしくは通す。
（ニ）ゴムシャーリングの内側（７）はゴムシャーリングの外側（８）に比べやや下にずらし、両脇を縫い合わせる。
本発明は以上のような構造である。
本発明を使用するときは、スカート部（２）を頭からかぶるか、もしくは足を通し、２枚重ねのゴムシャーリング（５）を乳房（９）に合わせ着用する。
ワンピース（１）の上方をゴムシャーリング（５）、また、ゴムシャーリングの上部（６）をさらに強度を増すため太いゴムで縫い付けるか、もしくは通してあるので、ずれ落ちる心配はない。
また、本発明で授乳を行う際は、２枚重ねに縫い合わせたゴムシャーリングの外側（８）の生地を上にたくしあげ、ゴムシャーリングの内側（７）の生地を下げることでできる開口部（１０）より乳房（９）を出すことで授乳が可能となる。
【符号の説明】
【０００８】    １  ワンピース、
２  スカート部、
３  脇下、
４  ウエスト、
５  ゴムシャーリング、
６  ゴムシャーリングの上部、
７  ゴムシャーリングの内側、
８  ゴムシャーリングの外側、
９  乳房、
１０  開口部
【図１】
2011252263.tif 000003
【図２】
2011252263.tif 000004
【図３】
2011252263.tif 000005
【図４】
2011252263.tif 000006